(57)【要約】【課題】アナログ時計において色を利用することによって単なるデザインのみでなく最小限の表示領域で実際上有用なカレンダ情報を表示し得るようにしたアナログ時計におけるカレンダ機構及び該カレンダ機構付きアナログ時計の提供。【解決手段】アナログ時計２のカレンダ機構１は、日付を表す日文字部ＬＤを備えた日車４０からなる第一のカレンダ車と、曜日の別を表す曜日表示部分ＣＷｉ又は午前午後の別を表す午前午後表示部分を相互に異なる色で備えた第二のカレンダ車５０と、日文字部ＬＤを視認可能とする日窓１９を備えた文字板とを有する。第一のカレンダ車４０の日文字部ＬＤ又は第二のカレンダ車５０の色のついた部分Ｆｉが透明であり、第一及び第二のカレンダ車４０，５０のうち該透明な部分を備える方のカレンダ車５０が、文字板の日窓１９の背後において、他方のカレンダ車４０よりも文字板側に位置する。【選択図】図２
2012189398.tif 000002
【特許請求の範囲】
【請求項１】
日付を表す日文字部を備えた日車からなる第一のカレンダ車と、曜日の別を表す曜日表示部分又は午前午後の別を表す午前午後表示部分を相互に異なる色で備えた第二のカレンダ車と、一の日付の日文字部を視認可能にする日窓を備えた文字板とを有するアナログ時計におけるカレンダ機構であって、
第一のカレンダ車の日文字部又は第二のカレンダ車の色のついた部分が透明であり、第一及び第二のカレンダ車のうち該透明な部分を備える方のカレンダ車が、文字板の日窓の背後において、他方のカレンダ車よりも文字板側に位置するアナログ時計におけるカレンダ機構。
【請求項２】
第二のカレンダ車が曜日の別を表す曜日表示部分を相互に異なる色で備えた曜車からなり、
曜車の色のついた曜日表示部分が透明であり、曜車が、文字板の日窓の背後において、日車よりも文字板側に位置する
請求項１に記載のアナログ時計におけるカレンダ機構。
【請求項３】
曜車が曜星車からなり、日車が環状の内歯歯車を備える請求項２に記載のアナログ時計におけるカレンダ機構。
【請求項４】
第二のカレンダ車が曜日の別を表す曜日表示部分を相互に異なる色で備えた曜車からなり、
第一のカレンダ車をなす日車の日文字部が透明であり、日車が、文字板の日窓の背後において、第二のカレンダ車をなす曜車よりも文字板側に位置する
請求項１に記載のアナログ時計におけるカレンダ機構。
【請求項５】
曜車が内歯歯車からなり、日車が中心軸線のまわりに外歯を備えた星車からなる請求項４に記載のアナログ時計におけるカレンダ機構。
【請求項６】
曜車が、７の倍数の扇形部分に色分けされ、７の前記倍数の日数で一回転されるように構成された請求項２から５までのいずれか一つの項に記載のアナログ時計におけるカレンダ機構。
【請求項７】
第二のカレンダ車が午前午後の別を表す午前午後表示部分を相互に異なる色で備えた午前午後車からなり、
第二のカレンダ車をなす午前午後車の色のついた午前午後表示部分が透明であり、午前午後車が、文字板の日窓の背後において、日車よりも文字板側に位置する
請求項１に記載のアナログ時計におけるカレンダ機構。
【請求項８】
筒車の回転に応じて回転される午前午後中間車を有し、該午前午後中間車が午前午後車による午前午後表示を切替える午前午後切替爪を備える請求項７に記載のアナログ時計におけるカレンダ機構。
【請求項９】
請求項１から８までのいずれか一つの項に記載のカレンダ機構を有するカレンダ機構付きアナログ時計。
【発明の詳細な説明】
【技術分野】
【０００１】
本発明は、針により時刻を表示するアナログ時計におけるカレンダ機構及び該カレンダ機構付きアナログ時計に係る。ここで、アナログ時計は、ぜんまいによって駆動される機械式のアナログ時計であっても電池の如き電源によって駆動される電子時計の形態のアナログ時計であってもよい。
【背景技術】
【０００２】
曜車によって曜日を表示することは周知である（例えば、特許文献１）。
【０００３】
日車の日付や該日付に対応する部分を規則的に色分けすることは、提案されており（特許文献２及び３）、７日おきに同一の色にすることも提案されている（特許文献２）。これは、特定の月に限ってみれば、特定の曜日に特定の色を付していることになるけれども、翌月には同じ色が異なる曜日に当てられることになり、この技術には、実際上、曜日によって色分けするという思想はない。
【０００４】
１０の位の日付と１の位の日付とを別々に表示するビッグデイト式の日付表示において、午前と午後とを区別するために、１０の位の数字として午前表示用の数字と午後表示用の数字とを設けておくことも提案されている（特許文献４）。しかしながら、この場合、１０の位の数字の制御が複雑化するのを避け難い。
【０００５】
また、午前・午後の別を表示するために色分けした午前午後表示用ディスクを別に設け、専用に設けた午前午後表示用の窓で午前午後の別を表示することも提案されている（特許文献５）。
【０００６】
更に、日車の日付や曜車の曜日を白抜き（開口）で形成し、該開口の背後に位置する時計部品の色等を利用して日付や曜日を表示することも提案されている（特許文献６）。
【０００７】
しかしながら、いずれの技術も、アナログ時計において色を利用することによって単なるデザインのみでなく最小限の表示領域でしかも複雑な制御をすることなく実際上有用なカレンダ情報を表示し得るようなものではない。
【先行技術文献】
【特許文献】
【０００８】
【特許文献１】特開平１１−１８３６４９号公報
【特許文献２】特開２００４−１３２７１５号公報
【特許文献３】実公昭５６−４６２３６号公報
【特許文献４】特表２００９−５０８１２３号公報
【特許文献５】特表２００５−５２１８７９号公報
【特許文献６】特開平１−１１０２８３号公報
【発明の概要】
【発明が解決しようとする課題】
【０００９】
本発明は、前記諸点に鑑みなされたものであって、その目的とするところは、アナログ時計において色を利用することによって単なるデザインのみでなく最小限の表示領域で実際上有用なカレンダ情報を表示し得るようにしたアナログ時計におけるカレンダ機構及び該カレンダ機構付きアナログ時計を提供することにある。
【課題を解決するための手段】
【００１０】
本発明のアナログ時計におけるカレンダ機構は、前記目的を達成すべく、日付を表す日文字部を備えた日車からなる第一のカレンダ車と、曜日の別を表す曜日表示部分又は午前午後の別を表す午前午後表示部分を相互に異なる色で備えた第二のカレンダ車と、一の日付の日文字部を視認可能にする日窓を備えた文字板とを有するアナログ時計におけるカレンダ機構であって、第一のカレンダ車の日文字部又は第二のカレンダ車の色のついた部分が透明であり、第一及び第二のカレンダ車のうち該透明な部分を備える方のカレンダ車が、文字板の日窓の背後において、他方のカレンダ車よりも文字板側に位置する。
【００１１】
本発明のアナログ時計におけるカレンダ機構では、「第一のカレンダ車の日文字部又は第二のカレンダ車の色のついた部分が透明であり、第一及び第二のカレンダ車のうち該透明な部分を備える方のカレンダ車が、文字板の日窓の背後において、他方のカレンダ車よりも文字板側に位置する」ので、透明な部分を含む領域において、第一のカレンダ車の文字部分と第二のカレンダ車の色のついた部分との両方が表示され得る。従って、文字板の日窓内に位置する該領域によって、第一のカレンダ車をなす日車による日付表示が行われ得るだけでなく、透明領域において表示される第二のカレンダ車の色のついた部分の色によって曜日の別又は午前午後の別が同時に表示され得る。従って、カレンダの視認性が実際上高められ得る。また、この場合、文字板の窓が過度に増えないので、すっきりしたデザインが保たれ得る。
【００１２】
即ち、文字板の日窓という限られた領域で、日付と曜日の別又は午前午後の別とが同時に表示され得る。
【００１３】
本発明の一観点のアナログ時計におけるカレンダ機構では、第二のカレンダ車が曜日の別を表す曜日表示部分を相互に異なる色で備えた曜車からなり、曜車の色のついた曜日表示部分が透明であり、曜車が、文字板の日窓の背後において、日車よりも文字板側に位置する。
【００１４】
その場合、曜車の透明で色のついた部分のうち日窓内に位置する部分が日車の日付の手前側に位置することにより日付のまわりの部分を曜日に応じて着色した状態で視認させることになるから、日窓内で日付表示と曜日表示との両方を同時に行い得る。
【００１５】
この種の本発明のアナログ時計におけるカレンダ機構では、典型的には、曜車が中心軸線のまわりに外歯を備えた曜星車からなり、日車が環状の内歯歯車を備える。
【００１６】
その場合、従来のカレンダ機構に対する変更を最低限に抑えた状態で、日表示及び曜日表示が安定に行われ得る。
【００１７】
本発明の別の一観点のアナログ時計におけるカレンダ機構では、第二のカレンダ車が曜日の別を表す曜日表示部分を相互に異なる色で備えた曜車からなり、第一のカレンダ車をなす日車の日文字部が透明であり、日車が、文字板の日窓の背後において、第二のカレンダ車をなす曜車よりも文字板側に位置する。
【００１８】
その場合、曜車のうち、日窓内に位置する日車の日文字部の透明な部分の背後に位置する部分の色が、日窓内の日文字部の透明な部分を介して視認され得るので、日窓内の日文字部が曜日に応じて色づけされた状態で表示されることによって、日窓内で日付表示と曜日表示との両方が同時に行なわれ得る。
【００１９】
この種の本発明のアナログ時計におけるカレンダ機構では、典型的には、曜車が内歯歯車からなり、日車が中心軸線のまわりに外歯を備えた星車からなる。
【００２０】
その場合、この構造が比較的採り易い。但し、逆でもよい。
【００２１】
本発明のアナログ時計におけるカレンダ機構では、典型的には、曜車が、７の倍数の扇形部分に色分けされ、７の前記倍数の日数で一回転されるように構成される。
【００２２】
その場合、曜車が７の前記倍数の日数で一回転されることになる。
【００２３】
本発明の更に別の一観点のアナログ時計におけるカレンダ機構では、第二のカレンダ車が午前午後の別を表す午前午後表示部分を相互に異なる色で備えた午前午後車からなり、第二のカレンダ車をなす午前午後車の色のついた午前午後表示部分が透明であり、午前午後車が、文字板の日窓の背後において、日車よりも文字板側に位置する。
【００２４】
その場合、文字板の日窓内で、日付と午前午後とが同時に表示され得る。しかも、このアナログ時計におけるカレンダ機構では、特許文献５と異なり日付として午前用の日付と午後用の日付との両方を準備しておく必要がないので、制御が複雑化するのを避け得るだけでなくビッグデイトではない普通のタイプの時計においても一つの日窓だけで午前午後の表示を行い得る。
【００２５】
この種の本発明のアナログ時計におけるカレンダ機構では、典型的には、筒車の回転に応じて回転される午前午後中間車を有し、該午前午後中間車が午前午後車による午前午後表示を切替える午前午後切替爪を備える。
【００２６】
その場合、簡単な構造で午前午後の表示が行われ得る
【００２７】
本発明のカレンダ機構付きアナログ時計は、前記目的を達成すべく、前述のようなカレンダ機構を有する。
【図面の簡単な説明】
【００２８】
【図１】本発明の好ましい一実施例のカレンダ機構を備えた本発明の好ましい一実施例のアナログ時計の平面説明図。
【図２】図１の時計の本体（ムーブメント：文字板及びケースを取り除いた状態）の平面説明図。
【図３】図１のカレンダ機構の日車の平面説明図。
【図４】図１のカレンダ機構の曜車の平面説明図。
【図５】図１の時計について、文字板、曜板及び日板を取り除いた状態の平面説明図。
【図６】図２の時計本体の模式的な断面説明図
【図７】図１のカレンダ機構において２８日（水）の日窓の状態を示した説明図。
【図８】図１のカレンダ機構において２８日（木）の日窓の状態を示した説明図。
【図９】図１のカレンダ機構において２８日（金）の日窓の状態を示した説明図。
【図１０】図１のカレンダ機構において２８日（土）の日窓の状態を示した説明図。
【図１１】図１のカレンダ機構において２８日（日）の日窓の状態を示した説明図。
【図１２】図１のカレンダ機構において２８日（月）の日窓の状態を示した説明図。
【図１３】図１のカレンダ機構において２８日（火）の日窓の状態を示した説明図。
【図１４】図３の日板の代わりに図１の時計に用いられる日板の例を示した平面説明図。
【図１５】本発明の別の好ましい一実施例のカレンダ機構を備えた本発明の別の好ましい一実施例のアナログ時計についての図１と同様な平面説明図。
【図１６】図１５の時計の本体についての図２と同様な平面説明図。
【図１７】図１５のカレンダ機構の日車についての図３と同様な平面説明図。
【図１８】図１５のカレンダ機構の曜車についての図４と同様な平面説明図。
【図１９】図１５の時計についての図５と同様な平面説明図。
【図２０】図１５の時計についての図６と同様な模式的な断面説明図。
【図２１】本発明の更に別の好ましい一実施例のカレンダ機構を備えた本発明の更に別の好ましい一実施例のアナログ時計についての図１と同様な平面説明図。
【図２２】図２１のカレンダ機構の午前午後車についての図４と同様な平面説明図。
【図２３】図２１の時計についての図５と同様な平面説明図。
【図２４】図２１の時計の午前午後中間車の平面説明図。
【図２５】図２１の時計についての図６と同様な模式的な断面説明図。
【発明を実施するための形態】
【００２９】
本発明の好ましい実施の形態のいくつかを添付図面に示した好ましい実施例に基づいて説明する。
【実施例】
【００３０】
図１から図６には、本発明の好ましい一実施例のカレンダ機構１を備えたカレンダ機構付きアナログ時計２が示されている。
【００３１】
アナログ時計２は、図１からわかるように、ケース１１の開口１２内に見える文字板１３前面に中心軸線Ｃのまわりで時計回りＣ１に回転される時針１４、分針１５及び秒針１６からなる時刻表示針を備える。時刻表示針１４，１５，１６は、たとえば、リュウズ１７ａを介して巻真１７を引き出して回すことにより位置調整すなわち針合わせされる。文字板１３には時刻を表す印１８が植設され、且つ日付と曜日とを表す日窓１９が形成されている。なお、この時計２では、後で詳述するように、日窓１９において、日付と曜日との両方が表示される。日窓１９は、この例では、文字板１３の３時の位置に形成された開口からなる。日窓１９は、６時の位置や１２時の位置やその他の箇所にあってもよい。ケース１１の開口１２には、時計ガラス（図示せず）が取り付けられている。所望ならば、開口１９にもガラスのような透明な窓板が配設されていてもよい。
【００３２】
時計２は、図６の断面図からわかるように、時針１４が取付けられた筒車２１や分針１５が取付けられた二番車２２や秒針１６が取付けられた四番車２３等の運針用輪列２４を備え、地板２５や輪列受２６等によって支持された運針用輪列２４は、電池２７により給電され図示しない水晶缶や時計用集積回路の制御下で動作される時計用モータによって運針制御されて所定の速さで回転して、時刻表示針１４，１５，１６によるアナログ式の時刻表示を行う。アナログ時計２は、ぜんまいにより駆動される機械式であってもよい。
【００３３】
時計２は、図６に加えて図５からわかるように、中心軸線Ｃのまわりで回転される大径環状の第一のカレンダ車としての日車４０と中心軸線Ｃの近傍に位置し概ね円板状で日車４０よりも小径の第二のカレンダ車としての曜車５０とを有すると共に、日回し爪３２及び曜回し爪３３を備えた日回し車３０を有する。
る。
【００３４】
また筒車２１はかな部２１ａで日回し車３０の歯車部３１に噛合され、該筒車２１が中心軸線Ｃのまわりで時計回りＣ１に一日に二回転する間に日回し車３０を中心軸線Ｄのまわりで反時計回りＤ１に一回転させる。日回し車３０は、一日に一回転する際に、日回し爪３２で日車４０の日歯車４１を一歯分だけ反時計周りＣ２に回転させると共に、曜回し爪３３で曜車５０の曜歯車５１を一歯分だけ時計回りＣ１に回転させる。
【００３５】
日車４０は、図６に加えて図３に示した通り、環状板状の日板４２と、該日板４２の背面側において該日板４２に一体的に形成された内歯歯車の形態の日歯車４１とを有する。日歯車４１は、３１個の歯４３を備え、Ｃ２方向に一日に一歯ずつ送られて、３１日で一回転する。日板４２の表面４４には「１」から「３１」までの日付ないし日文字ＬＤが印刷されており、コンプリートの形態の時計２（図１）では、図６において想像線１９で示したように３時の位置にある日窓１９を介して一組の日付ないし日文字ＬＤ（図示の例では、「２８」）が表示される。ここで、日付（文字）ＬＤは典型的には黒色で表示され、日付ＬＤの周囲の領域４４ｂは白色である。日付文字ＬＤは、周囲の領域４４ｂと区別され得る限り、黒以外の色であってもよい。日付文字ＬＤの領域４４ａ以外の領域４４ｂの色は、典型的には「白」であるけれども、後述の曜板５２のフィルム５４の扇形領域Ｓの色Ｆｉを視覚的に相互に識別しうる限り、場合によっては、白以外でもよい。
【００３６】
日歯車４１の回転位置は、日ジャンパ４６（図５）によって規正される。日車４０は、地板２５の凸部で平面位置が概ね規制され日車押さえ４７によって厚さＺ方向の位置ズレが規制されている。
【００３７】
曜車５０は、図５及び図６に加えて図４に示した通り、曜歯車５１と、透明な円板の形態の曜板５２とからなる。環状の曜歯車ないし曜星車５１は、外周に等間隔に１４個の歯５３を備えると共に、中央開口部５１ａで筒車２１の小径部に回転自在に嵌合されている。曜歯車５１の歯５３の数は、７の倍数であれば、１４以外であってもよい。曜車５０の曜板５２は、図６からわかるように、日車４０の日板４２よりも文字板１３側に位置する。曜板５２は、中央に開口５２ａを備えた概ね円板状のフィルム５４からなり、中央近傍の取付孔５２ｂを介してカシメにより曜星車５１に固定されている。曜歯車５１の回転位置は、曜ジャンパ５５（図５）によって規正される。なお、曜車５０は、開口５１ａ，５２ａで筒車２１の小径部に回転自在に嵌合された状態で、Ｃリングの形態の曜車止め座５６（図６）によって筒車２１の小径部に対して抜止めされている。
【００３８】
曜板５２をなす円板状（中央開口５２ａを考慮すると、環状）の透明フィルム５４は、相互に色分けされた１４個（曜歯車５１の歯数と同数）の等間隔の扇形領域Ｓ１，Ｓ２，・・・・，Ｓ１４（扇形領域を相互に区別しないとき又は総称するときは符号Ｓで表す）からなる。より詳しくは、扇形領域Ｓ１，Ｓ２，Ｓ３，Ｓ４，Ｓ５，Ｓ６，Ｓ７は、相互に異なる色、例えば、順に、赤色Ｆ１，青色Ｆ２，緑色Ｆ３，白色Ｆ４，カーキ色Ｆ５，紫色Ｆ６，黄色Ｆ７（色を総称するときは符号Ｆで一般的に示すときは符合Ｆｉで表す）に色分けされ、扇形領域Ｓ８，Ｓ９，Ｓ１０，Ｓ１１，Ｓ１２，Ｓ１３，Ｓ１４は、夫々、扇形領域Ｓ１，Ｓ２，Ｓ３，Ｓ４，Ｓ５，Ｓ６，Ｓ７と同じ色で形成されている。ここで、赤色Ｆ１の領域Ｓ１，Ｓ８は日曜日ＣＷ１に対応し、青色Ｆ２の領域Ｓ２，Ｓ９は月曜日ＣＷ２に対応し、緑色Ｆ３の領域Ｓ３，Ｓ１０は火曜日ＣＷ３に対応し、白色Ｆ４の領域Ｓ４，Ｓ１１は水曜日ＣＷ４に対応し、カーキ色Ｆ５の領域Ｓ５，Ｓ１２は木曜日ＣＷ５に対応し、紫色Ｆ６の領域Ｓ６，Ｓ１３は金曜日ＣＷ６に対応し、黄色Ｆ７の領域Ｓ７，Ｓ１４は土曜日ＣＷ７に対応する（曜日を一般的に示すときは符合ＣＷｉで表す）。各曜日ＣＷｉを色Ｆによって相互に識別し得る限り、各曜日ＣＷｉを表す色Ｆは例示した色とは別の色でもよい。なお、添付図面では「色」表示ができないことから、相互に異なる色Ｆｉを便宜上相互に異なる模様で、即ち異なる色Ｆは異なる模様で、表している。
【００３９】
以上の如く構成された時計２のカレンダ機構１の動作について、図１から図６に加えて、図７から図１３に基づいて、より詳しく説明する。
【００４０】
例えば、時計２の本体ないしムーブメント３についての図２や日窓１９の部分を拡大した図７に示したように、日窓１９のところに、日車４０の日付ＬＤとして「２８」が見えるような日、即ち、「２８」日において、日車４０の文字板１３側に位置する曜車５０の曜板５２をなす環状透明フィルム５４の「白色」Ｆ４の領域Ｓ４（又はＳ１１）がその上に位置する場合には、白色Ｆ４が水曜日ＣＷ４を表すことから、日窓１９内の表示を見るだけで、「２８日（水）」（すなわち２８日の水曜日）であることがわかる。
【００４１】
より詳しくは、ここで、曜車５０の曜板５２をなす環状フィルム５４が透明であるので、文字板１３側から見て曜車５０の曜板５２のフィルム５４の背後に位置する日車４０の日板４２の表面４４上の「２８」という日付を表す日文字部としての日付文字ＬＤが、フィルム５４を介して透けて見えるから、「２８」日であることがわかり、且つ図７に示したように、「２８」という日付文字ＬＤの周りの領域４４ｂがフィルム５４のうち日窓１９のところに位置する領域Ｓ４（又はＳ１１）の色Ｆ４すなわち白色Ｆ４であることから、曜日が水曜日ＣＷ４であることがわかる。
【００４２】
時の経過と共に、筒車２１がＣ１方向に回り、日回し車３０がＤ１方向にまわって、日回し爪３２により日車４０をＣ２方向に一歯分だけまわすと共に、曜回し爪３３により曜車５０をＣ１方向に一歯分だけまわす。従って、日窓１９の枠内に位置する日車４０の日付ＬＤ及び該日窓１９の枠内に位置する曜車５０の扇形領域Ｓの色Ｆが日々変化し、日付が日窓１９内の文字ＬＤにより視認されると同時に、曜日ＣＷｉが日窓１９内の色Ｆによって視認され得る。
【００４３】
通常使用時には、日付が一日進むと共に曜日も一日分進むけれども、日付ＬＤの変化は周知であるので、ここでは日付ＬＤの変化を無視し、便宜上、日付ＬＤが同じ日付で曜日ＣＷｉが異なる曜日ＣＷｉにある場合を曜日の相違として識別し得ることを説明する。
【００４４】
図７に示した状態に対して曜車５０が一歯分だけＣ１方向に回転した状態は、図８に示したような状態である。この状態では、曜車５０の曜板５２をなす透明な環状フィルム５４のうちカーキ色Ｆ５の領域Ｓ５が日窓１９内において日付ＬＤの前に位置する。この場合、「２８」という日付文字ＬＤの領域４４ａの周りの領域４４ｂがフィルム５４の領域Ｓ５（又はＳ１２）の色Ｆ５すなわちカーキ色Ｆ５で色づいていることから、曜日が木曜日ＣＷ５であり、「２８（木）」（すなわち２８日の木曜日）であることが一目瞭然でわかる。
【００４５】
同様に、図９に示した状態では、曜車５０の曜板５２をなす透明な環状フィルム５４のうち紫色Ｆ６の領域Ｓ６が日窓１９内において日付ＬＤの前に位置する。この場合、透明フィルム５４を通して見える「２８」という日付文字ＬＤの周りの領域４４ｂがフィルム５４の領域Ｓ６（又はＳ１３）の色Ｆ６即ち紫色Ｆ６で色づいていることから、曜日が金曜日ＣＷ６で、「２８（金）」（即ち２８日の金曜日）であることが一目瞭然でわかる。
【００４６】
また、図１０に示した状態では、曜車５０の曜板５２をなす透明な環状フィルム５４のうち黄色Ｆ７の領域Ｓ７が日窓１９内において日付ＬＤの前に位置する。この場合、「２８」という日付文字ＬＤの周りの領域４４ｂがフィルム５４の領域Ｓ７（又はＳ１４）の色Ｆ７即ち黄色Ｆ７で色づいていることから、曜日が土曜日ＣＷ７であり、「２８（土）」（即ち２８日の土曜日）であることが一目瞭然でわかる。
【００４７】
更に、図１１に示した状態では、曜車５０の曜板５２をなす透明な環状フィルム５４のうち赤色Ｆ１の領域Ｓ１又はＳ８が日窓１９内において日付ＬＤの前に位置する。この場合、「２８」という日付文字ＬＤの周りの領域４４ｂがフィルム５４の領域Ｓ１又はＳ８の色Ｆ１即ち赤色Ｆ１で色づいていることから、曜日が日曜日ＣＷ１であり、「２８（日）」（即ち２８日の日曜日）であることが一目瞭然でわかる。
【００４８】
また、図１２に示した状態では、曜車５０の曜板５２をなす透明な環状フィルム５４のうち青色Ｆ２の領域Ｓ２又はＳ９が日窓１９内において日付ＬＤの前に位置する。この場合、「２８」という日付文字ＬＤの周りの領域４４ｂがフィルム５４の領域Ｓ２又はＳ９の色Ｆ２即ち青色Ｆ２で色づいていることから、曜日が月曜日ＣＷ２であり、「２８（月）」（即ち２８日の月曜日）であることが一目瞭然でわかる。
【００４９】
更に、図１３に示した状態では、曜車５０の曜板５２をなす透明な環状フィルム５４のうち緑色Ｆ３の領域Ｓ３又はＳ１０が日窓１９内において日付ＬＤの前に位置する。この場合、「２８」という日付文字ＬＤの周りの領域４４ｂがフィルム５４の領域Ｓ３又はＳ１０の色Ｆ３即ち緑色Ｆ３で色づいていることから、曜日が火曜日ＣＷ３であり、「２８（火）」（即ち２８日の火曜日）であることが一目瞭然でわかる。
【００５０】
以上の通り、この時計２のカレンダ機構１では、日窓１９内において、「２８」という日付ＬＤの周囲の領域４４ｂが、曜日ＣＷｉに応じて、日車４０の前面にあって七色Ｆｉに区分された透明曜車５０の特定の色によって色づけられるので、「２８」のいう日付ＬＤの周囲の領域４４ｂの色Ｆによって曜日ＣＷｉが識別ないし特定され得、日窓１９内の日付ＬＤ及び色Ｆｉを見るだけで、いつでも日付ＬＤと曜日ＣＷｉとが一目でわかる。色Ｆｉが相互に識別可能である限り、領域４４ｂが白以外で着色されていてもよい。
【００５１】
以上においては、図３に示したように日車４０の日付文字ＬＤを表示する表面４４のうち日付表示文字ＬＤのある領域４４ａ以外の領域（日付文字ＬＤの周囲の領域）４４ｂを白色等にしておいて、該表示面４４の手前側に位置する曜車５０の曜板５２のフィルム５４の色Ｆ１，Ｆ２，Ｆ３，Ｆ４，Ｆ５，Ｆ６，Ｆ７に応じて日付文字ＬＤの周囲の領域４４ｂが着色されて見えるようにした例（例えば、図７から図１３）について説明したけれども、図１４に示したように、日車４０Ａの表面４４Ａのうち日付表示文字ＬＤの周囲の領域を白色にする代わりに、該周囲の領域４４ｂＡを黒色にすると共に日付表示文字ＬＤの枠内の領域４４ａＡを白色（背景の黒色に対して白抜き）で表示するようにしてもよい。図１４の日車４０Ａにおいて、図３の日車４０の要素に対応するけれども異なるところのある要素には図３の日車４０の対応する要素の符号の後に添字Ａが付されている。
【００５２】
この場合、周囲の黒色領域４４ｂＡでは、その手前側に位置する曜板５２のフィルム５４の扇形領域Ｓの色Ｆｉにかかわらず概ね黒色に見える（実際上着色の影響がない）。一方、白抜きになった日付文字ＬＤの領域４４ａＡでは、日窓１９のある領域において、日車４０Ａの手前側に位置する曜板５２のフィルム５４の色Ｆｉ即ち色Ｆ１，Ｆ２，Ｆ３，Ｆ４，Ｆ５，Ｆ６，Ｆ７に応じて日付文字ＬＤの領域４４ａＡ（即ち、日付表示文字ＬＤ自体）が着色されて見えることになる。従って、この場合でも、日窓１９内において、日付ＬＤの領域４４ａＡが、曜日ＣＷｉに応じて、日車４０の前面にあって七色に区分された透明曜車５０の特定の色Ｆｉによって色づけられるので、日付ＬＤの文字領域４４ａＡ自体の色Ｆｉによって曜日ＣＷｉが識別ないし特定され得るから、日窓１９内の日付文字ＬＤ（の形）及び該日付文字ＬＤの色Ｆｉを見るだけで、いつでも日付ＬＤと曜日ＣＷｉとが一目でわかる。
【００５３】
以上においては、日車が曜車の背後（裏蓋側）に配置された例について説明したけれども、その代わりに、曜車が日車の背後（裏蓋側）に配置され、日車が曜車の手前側（文字板側）に位置していてもよく、そのようなカレンダ機構１Ｂを備えた時計２Ｂについて、図１５から図２０に基づいて説明する。時計２Ｂのカレンダ機構１Ｂについて、図１から図１３に示した時計２のカレンダ機構１の要素と同一の要素には同一の符号が付され、時計２のカレンダ機構１の要素に概ね対応するけれども異なるところのある要素には同一の符号の後に添字Ｂが付されている。
【００５４】
時計２Ｂのカレンダ機構１Ｂでは、図１６から図１８に加えて図２０の模式的な断面説明図及び図１９の平面説明図からわかるように、日車４０Ｂが曜車５０Ｂよりも文字板１３側に配置され、曜車５０Ｂが内歯歯車の形態の曜歯車５１Ｂと大径環状の曜板５２Ｂとを有し、日車４０Ｂが中心軸線Ｃの近傍に位置する小径の３１歯の星車の形態の日歯車４１Ｂと概ね円板状の日板４２Ｂとを有する。日車４０Ｂの日板４２Ｂのうち日付文字ＬＤの部分４４ａＢは透明であり、日板４２Ｂのうち日付文字ＬＤの周囲の部分４４ｂＢは、不透明である。従って、日板４２Ｂは、例えば、透明材料のうち領域４４ｂＢは不透明材料で被覆されてなる。但し、領域４４ｂＢのうち日窓１９の内縁よりも小径の部分や日窓１９の外縁よりも大径の部分は、透明であってもよい。また、例えば、文字の線の部分を実際上開口（窓ないし孔）にしてもよい（その場合、「０」のように閉曲線を含む文字では、当然ながら、閉曲線になるのを回避すべく、文字の線の部分を構成する開口を相互に分離された複数の部分で形成する）。
【００５５】
筒車２１のかな部２１ａによって中心軸線ＤのまわりでＤ１方向に一日に一回転される日回し車３０Ｂは、小径の日回し爪３２Ｂで一日に一歯分だけ日歯車４１Ｂを中心軸線ＣのまわりでＣ１方向に間欠回転させ、大径の曜回し爪３３Ｂで一日に一歯分だけ曜歯車５１Ｂを中心軸線ＣのまわりでＣ２方向に間欠回転させる。中央にある日ジャンパ４６Ｂが日歯車４１Ｂに対して躍制動作を行い、曜ジャンパ５５Ｂが曜歯車５１Ｂに対して躍制動作を行う。
【００５６】
なお、時計２Ｂのカレンダ機構１Ｂでは、図１６及び図１７からわかるように、日歯車４１Ｂが中央孔４１ａで筒車２１の小径部に回転自在に嵌合され、日板４２Ｂが取付孔４２ｂでカシメによって日歯車４１Ｂに固定され、図２０からわかるように、日車４０Ｂが日車止め座４８によって筒車２１から抜止めされている。
【００５７】
また、時計２Ｂのカレンダ機構１Ｂでは、曜車５０Ｂは、大径環状の曜板５２Ｂを備えるので、全周が２８個の等間隔の扇形領域ＳＢに区分され、２８個の領域ＳＢは、日曜日から土曜日までの七つの曜日ＣＷ１，ＣＷ２，ＣＷ３，ＣＷ４，ＣＷ５，ＣＷ６、ＣＷ７を表す領域が、四回繰り返されている。なお、この時計２Ｂのカレンダ機構１Ｂの場合、時計２のカレンダ機構１の場合と異なり、日曜日ＣＷ１が黄色Ｆ７，月曜日ＣＷ２が紫色Ｆ６、火曜日ＣＷ３がカーキ色Ｆ５、水曜日ＣＷ４が白色Ｆ４、木曜日ＣＷ５が緑色Ｆ３、金曜日ＣＷ６が青色Ｆ２、土曜日ＣＷ７が赤色Ｆ１である曜車５０Ｂを有する。但し、この時計２Ｂのカレンダ機構１Ｂにおいても、時計２のカレンダ機構１の場合と同様に、日曜日ＣＷ１，月曜日ＣＷ２，火曜日ＣＷ３，水曜日ＣＷ４，木曜日ＣＷ５，金曜日ＣＷ６及び土曜日ＣＷ７が、夫々、赤色Ｆ１，青色Ｆ２，緑色Ｆ３，白色Ｆ４，カーキ色Ｆ５，紫色Ｆ６及び黄色Ｆ７になるように色分けされていてもよい。また、各曜日ＣＷｉを色Ｆによって相互に識別し得る限り、各曜日ＣＷｉを表す色Ｆは例示した色とは別の色でもよい。
【００５８】
この時計２Ｂのカレンダ機構１Ｂでは、図１６の時計本体３Ｂの説明図からもわかるように、日車４０Ｂの各日付文字ＬＤの透明領域４４ａＢに背後に位置する曜車５０Ｂの曜板５２Ｂの着色された領域ＳＢが見える。従って、コンプリート２Ｂを表す図１５からわかるように、ムーブメント３Ｂの文字板１３がある場合には、その日窓１９の枠内に位置すべき領域にある日付文字ＬＤ（この例では、「２８」）の文字部分４４ａＢを介して、特定の曜日ＣＷｉを表す色Ｆｉが見える。この例では、水曜日ＣＷ４であることから、白色Ｆ４の領域ＳＢが日付文字ＬＤ（この例では、「２８」）の文字部分４４ａＢを介して視認されることになる（色付表示されない特許図面の性格上、図面からは視認しがたいけれども、人の目は色に対して敏感であることから、比較的小さい領域であっても、色の識別は可能であり曜日が確実に視認され得ることになる）。即ち、「２８」の文字の形状によって「２８日」であることが視認され、文字「２８」の色が白色Ｆ４であることから、水曜日ＣＷ４であることがわかる。
【００５９】
すなわち、この時計２Ｂのカレンダ機構１Ｂの場合にも、日窓１９内の日付ＬＤの文字（の形）とその色Ｆとを見るだけで、日付と曜日とが直ちにわかることになる。従って、最低限の表示領域で日付情報と曜日情報とを与え得る。
【００６０】
以上においては、第二のカレンダ車が曜車からなる例について説明したけれども、第二のカレンダ車は、曜車の代わりに午前午後の別を表す午前午後車であってもよい。
【００６１】
従って、次に、第二カレンダ車として午前午後車５０Ｄを備えたカレンダ機構１Ｄを有するアナログ時計２Ｄについて、図２１から図２５に基づいて説明する。図２１から図２５に示したカレンダ機構１Ｄ付きのアナログ時計２Ｄにおいて、図１から図１３に示したカレンダ機構１付きのアナログ時計２の要素と同様な要素には同一の符号が付され、アナログ時計２の要素に対応するけれども異なるところのある要素には対応する符号の後に添字「Ｄ」が付されている。
【００６２】
図６と図２５とを対比してわかるように、アナログ時計２Ｄの本体（ムーブメント）３Ｄのカレンダ機構１Ｄでは、曜星車の形態の曜歯車５１を備えた曜車５０の代わりに午前午後歯車５１Ｄを備えた午前午後車５０Ｄが、日車４０よりも文字板１３側に配置されている。
【００６３】
アナログ時計２Ｄのカレンダ機構１Ｄでは、図２３からわかるように、一日に一回転する日回し車３０Ｄは、カレンダ機構１の日回し車３０と同様に、日車４０の日歯車４１をまわす日回し爪３２を備えるけれども、午前午後車５０Ｄと係合する要素は欠く。
【００６４】
午前午後車５０Ｄは、図２３からわかるように、筒車２１に噛合した午前午後中間車６０を介して間欠回転される。午前午後中間車６０は、午前午後中間歯車６１で筒車２１のかな部２１ａに噛合され、中心軸線ＥのまわりでＥ１方向に１２時間で一回転される。午前午後中間車６０は先端部に係合爪部６３を備えた午前午後切替爪６２を午前午後中間歯車６１と同軸に有する。午前午後切替爪６２は、その係合爪部６３で、午前午後車５０Ｄの歯車部５１Ｄと係合可能で、一回転される間に、半日毎（１２時間毎）に午前午後車５０Ｄの午前午後歯車５１Ｄを一歯分だけＣ１方向に回転させる。
【００６５】
なお、午前午後切替爪６２は、形成可能であれば日回し車３０Ｄに設けられていてもよく、その場合、午前午後中間歯車６１を備えた午前午後中間車６０は不要である。
【００６６】
中心軸線Ｃのまわりで回転される午前午後車５０Ｄは、図２５に加えて図２２からわかるように、小径の午前午後歯車５１Ｄと取付穴５２ｂＤでカシメにより午前午後歯車５１Ｄに固定された午前午後板５２Ｄとを有する。午前午後歯車５１Ｄ及び午前午後板５２Ｄはそれぞれの中央開口５１ａＤ，５２ａＤで筒車２１の小径部に回転自在に嵌合され、午前午後車止め座５６Ｄにより抜止めされている。午前午後板５２Ｄは、図２２からわかるように、概ね円板状の透明フィルム５４Ｄからなり、該透明フィルム５４Ｄは、第一の色Ｆ１Ｄに着色された扇形領域ＳＡＤと第二の色Ｆ２Ｄに着色された扇形領域ＳＰＤとが交互に繰り返されてなり、この例では、１４個の扇形領域からなる。
【００６７】
午前午後車５０Ｄは、時計輪列２４の動作に伴う筒車２１の回転に応じて一日に一回転される午前午後中間車６０の切替爪６２の係合爪部６３によって、午前午後歯車部５０Ｄで半日毎に一歯分だけ送られ間欠回転され、午前０時以降で午後０時より前の間は、例えば、日窓１９内に第一の扇形領域ＳＡＤが位置して、日車４０により表された日付ＬＤの周囲の領域４４ｂを第一の扇形領域ＳＡＤの色Ｆ１Ｄに見せ、午後０時以降で翌日の午前０時より前の間は、例えば、日窓１９内に第二の扇形領域ＳＰＤが位置して、日車４０により表された日付ＬＤの周囲の領域４４ｂを第二の扇形領域ＳＰＤの色Ｆ２Ｄに見せる。午前午後車５０ＤのＣ１方向回転は、躍制動作を行う午前午後ジャンパ５５Ｄによって規正される。
【００６８】
この時計２Ｄのカレンダ機構１Ｄでは、午前の時間帯においては、第一の扇形領域ＳＡＤが日窓１９のあるところにおいて日車４０の日付ＬＤの手前に位置して、日付ＬＤのまわりの領域４４ｂＤが図２２で示したような第一の色Ｆ１Ｄで着色され、午後の時間帯においては、第二の扇形領域ＳＰＤが日窓１９のあるところにおいて日車４０の日付ＬＤの手前に位置して、日付ＬＤのまわりの領域４４ｂＤが図２１で示したような第二の色Ｆ２Ｄで着色される。
【００６９】
従って、日窓１９内の領域４４ｂＤの色ＦＤがＦ１ＤであるかＦ２Ｄであるかを見るだけで、午前午後の別を視認し得る。それゆえ、針合わせをする際にも、午前午後の別がわかった上でリュウズ１７ａを介して巻真１７を回し得るから、素早く針合わせを行い得る。
【符号の説明】
【００７０】
１，１Ａ，１Ｂ，１Ｄ  カレンダ機構
２，２Ａ，２Ｂ，２Ｄ  カレンダ機構付きアナログ時計
３，３Ｂ，３Ｄ  時計本体（ムーブメント）
１１  ケース
１２  開口
１３  文字板
１４  時針
１５  分針
１６  秒針
１７  巻真
１７ａ  リュウズ
１８  印
１９  日窓
２１  筒車
２１ａ  かな部
２２  二番車
２３  四番車
２４  運針用輪列
２５  地板
２６  輪列受
２７  電池
３０，３０Ｂ，３０Ｄ  日回し車
３１  歯車部
３２，３２Ｂ  日回し爪
３３，３３Ｂ  曜回し爪
４０，４０Ａ，４０Ｂ  日車
４１，４１Ｂ  日歯車
４１ａ  中央孔
４２，４２Ｂ  日板
４２ｂ  取付孔
４３  歯
４４，４４Ａ  表面
４４ａ，４４ａＡ，４４ａＢ  日付文字の領域
４４ｂ，４４ｂＡ，４４ｂＢ，４４ｂＤ  日付文字の周囲の領域
４６，４６Ｂ  日ジャンパ
４７  日車押さえ
４８  日車止め座
５０，５０Ｂ  曜車
５０Ｄ  午前午後車
５１，５１Ｂ  曜歯車
５１Ｄ  午前午後歯車
５１ａ，５１ａＢ，５１ａＤ  中央開口部
５２，５２Ｂ  曜板
５２Ｄ  午前午後板
５２ａ，５２ａＤ  中央開口
５２ｂ，５２ｂＤ  取付孔
５３  歯
５４，５４Ｄ  円板状フィルム
５５，５５Ｂ  曜ジャンパ
５５Ｄ  午前午後ジャンパ
５６，５６Ｄ  曜車止め座
５７  曜車押さえ
６０  午前午後中間車
６１  午前午後中間歯車
６２  午前午後切替爪
６３  係合爪部
Ｃ，Ｄ  中心軸線
Ｃ１，Ｃ２，Ｄ１  回転方向
ＣＷｉ  曜日
ＣＷ１  日曜日
ＣＷ２  月曜日
ＣＷ３  火曜日
ＣＷ４  水曜日
ＣＷ５  木曜日
ＣＷ６  金曜日
ＣＷ７  土曜日
Ｆ，Ｆｉ，ＦＤ，Ｆ１Ｄ，Ｆ２Ｄ  色
Ｆ１  赤色
Ｆ２  青色
Ｆ３  緑色
Ｆ４  白色
Ｆ５  カーキ色
Ｆ６  紫色
Ｆ７  黄色
ＬＤ  日付（日文字）
Ｓ，Ｓ１，Ｓ２，Ｓ３，Ｓ４，Ｓ５，Ｓ６，Ｓ７，Ｓ８，Ｓ９，Ｓ１０，Ｓ１１，Ｓ１２，Ｓ１３，Ｓ１４，ＳＢ  扇形領域
ＳＡＤ  午前（扇形領域）
ＳＰＤ  午後（扇形領域）
Ｚ  厚さ方向
【図１】
2012189398.tif 000003
【図２】
2012189398.tif 000004
【図３】
2012189398.tif 000005
【図４】
2012189398.tif 000006
【図５】
2012189398.tif 000007
【図６】
2012189398.tif 000008
【図７】
2012189398.tif 000009
【図８】
2012189398.tif 000010
【図９】
2012189398.tif 000011
【図１０】
2012189398.tif 000012
【図１１】
2012189398.tif 000013
【図１２】
2012189398.tif 000014
【図１３】
2012189398.tif 000015
【図１４】
2012189398.tif 000016
【図１５】
2012189398.tif 000017
【図１６】
2012189398.tif 000018
【図１７】
2012189398.tif 000019
【図１８】
2012189398.tif 000020
【図１９】
2012189398.tif 000021
【図２０】
2012189398.tif 000022
【図２１】
2012189398.tif 000023
【図２２】
2012189398.tif 000024
【図２３】
2012189398.tif 000025
【図２４】
2012189398.tif 000026
【図２５】
2012189398.tif 000027